【手続補正書】
【提出日】平成16年8月31日(2004.8.31)
【手続補正１】
【補正対象書類名】明細書
【補正対象項目名】特許請求の範囲
【補正方法】変更
【補正の内容】
【特許請求の範囲】
【請求項１】
Ｘ線管から照射されたＸ線を検出手段で検出した後、デジタル化された画像データとして出力する複数のＸ線画像出力装置と、この複数のＸ線画像出力装置を制御する制御装置と、患者情報を入力する患者情報入力手段と、前記Ｘ線画像出力装置より出力される画像データ及び前記患者情報入力手段より入力された患者情報を記憶する記憶手段によって構成されるＸ線画像撮影システムであって、
前記患者情報入力手段より入力された患者情報が、前記複数のＸ線画像出力装置の内の何れのＸ線画像出力装置から出力される画像データに対しても対応付けされて前記記憶手段に記憶されることを特徴とするＸ線画像撮影システム。
【請求項２】
Ｘ線管から照射されたＸ線を検出手段で検出した後、デジタル化された画像データとして出力する複数のＸ線画像出力装置と、この複数のＸ線画像出力装置をそれぞれ制御する複数の制御装置と、患者情報を入力する前記複数の制御装置の少なくとも１つに接続された患者情報入力手段と、前記複数のＸ線画像出力装置より出力される画像データ及び前記患者情報入力手段より入力された患者情報を記憶する記憶手段によって構成されるＸ線画像撮影システムであって、
前記患者入力手段より入力された患者情報が、前記複数のＸ線画像出力装置の内の何れのＸ線画像出力装置から出力される画像データに対しても対応付けされて前記記憶手段に記憶されることを特徴とするＸ線画像撮影システム。
【請求項３】
Ｘ線管から照射されたＸ線を検出手段で検出した後、デジタル化された画像データとして出力する複数のＸ線画像出力装置と、この複数のＸ線画像出力装置を制御する制御装置と、前記複数のＸ線画像出力装置と前記制御装置とを接続する通信ケーブルによって構成されるＸ線画像撮影システムであって、
前記通信ケーブル上に、前記複数のＸ線画像出力装置が順次接続されており、前記通信ケーブルを介して、前記複数のＸ線画像出力装置の各々が、前記制御装置により個別に制御されることを特徴とするＸ線画像撮影システム。
【請求項４】
Ｘ線管から照射されたＸ線を検出手段で検出した後、デジタル化された画像データとして出力する複数のＸ線画像出力装置と、この複数のＸ線画像出力装置を制御する制御装置と、前記複数のＸ線画像出力装置と前記制御装置とを接続する複数の通信ケーブルによって構成されるＸ線画像撮影システムであって、
前記複数の通信ケーブルの各々の一端が、前記複数のＸ線画像出力装置の各々に対して個別に接続され、前記複数の通信ケーブルの他端の全てが、前記制御装置に接続された構成を有し、前記複数の通信ケーブルを介して、前記複数のＸ線画像出力装置の各々が、前記制御装置により個別に制御されることを特徴とするＸ線画像撮影システム。
【請求項５】
複数のＸ線管と、この複数のＸ線管を制御するＸ線発生制御装置と、前記複数のＸ線管のそれぞれから照射されたＸ線を検出手段で検出した後、デジタル化された画像データとして出力する複数のＸ線画像出力装置と、前記複数のＸ線画像出力装置を制御する制御装置によって構成されるＸ線画像撮影システムであって、
前記複数のＸ線管と前記複数のＸ線画像出力装置のそれぞれが、予め定められたＸ線管とＸ線画像出力装置の対応付けに基づいて、前記Ｘ線発生制御装置と前記制御装置によって制御されることを特徴とするＸ線画像撮影システム。
【請求項６】
複数のＸ線管と、この複数のＸ線管を制御するＸ線発生制御装置と、前記複数のＸ線管のそれぞれから照射されたＸ線を検出手段で検出した後、デジタル化された画像データとして出力する複数のＸ線画像出力装置と、前記複数のＸ線画像出力装置を制御する制御装置によって構成されるＸ線画像撮影システムであって、
前記制御装置により前記複数のＸ線画像出力装置の中の１つが選択されると、予め定められた対応付けに基づいて、前記選択されたＸ線画像出力装置に対応した前記複数のＸ線管の中の１つが前記Ｘ線発生制御装置により選択されるとともに、前記選択されたＸ線管からのＸ線照射後の所定のタイミングで、前記制御装置が、前記選択されたＸ線画像出力装置から画像データを読み出すように前記選択されたＸ線画像出力装置を制御することを特徴とするＸ線画像撮影システム。
【請求項７】
複数のＸ線管と、この複数のＸ線管を制御するＸ線発生制御装置と、前記複数のＸ線管のそれぞれから照射されたＸ線を検出手段で検出した後、デジタル化された画像データとして出力する複数のＸ線画像出力装置と、この複数のＸ線画像出力装置を制御する制御装置によって構成されるＸ線画像撮影システムであって、
前記Ｘ線発生制御装置により前記複数のＸ線管の中の１つが選択されると、予め定められた対応付けに基づいて、前記選択されたＸ線管に対応した前記複数のＸ線画像出力装置の中の１つが前記制御装置により選択されるとともに、前記選択されたＸ線管からのＸ線照射後の所定のタイミングで、前記制御装置が、前記選択されたＸ線画像出力装置から画像データを読み出すように前記選択されたＸ線画像出力装置を制御することを特徴とするＸ線画像撮影システム。
【請求項８】
Ｘ線管から照射されたＸ線を検出手段で検出した後、デジタル化された画像データとして出力する複数のＸ線画像出力装置と、この複数のＸ線画像出力装置を制御する制御装置と、前記複数のＸ線画像出力装置のいずれか１つを選択できる条件入力手段によって構成されるＸ線画像撮影システムであって、
前記条件入力手段を介して、前記複数のＸ線画像出力装置の何れか１つが選択されると、所定のタイミングで、前記制御装置が、前記選択されたＸ線画像出力装置から画像データを読み出すように前記選択されたＸ線画像出力装置を制御することを特徴とするＸ線画像撮影システム。
【請求項９】
Ｘ線管から照射されたＸ線を検出手段で検出した後、デジタル化された画像データとして出力する複数のＸ線画像出力装置と、この複数のＸ線画像出力装置を制御する制御装置と、撮影条件等に関わる情報を表示する表示手段によって構成されるＸ線画像撮影システムであって、
前記複数のＸ線画像出力装置のいずれか１つが選択されると、前記選択されたＸ線画像出力装置を特定できる情報、もしくは前記選択されたＸ線画像出力装置の種類を特定できる情報が、前記表示手段に表示されるとともに、所定のタイミングで、前記制御装置が、前記選択されたＸ線画像出力装置から画像データを読み出すように前記選択されたＸ線画像出力装置を制御することを特徴とするＸ線画像撮影システム。
【請求項１０】
Ｘ線管から照射されたＸ線を検出手段で検出した後、デジタル化された画像データとして出力する複数のＸ線画像出力装置と、この複数のＸ線画像出力装置を制御する制御装置と、撮影部位の選択肢を表示する表示手段によって構成されるＸ線画像撮影システムであって、
前記表示手段に表示される前記撮影部位の選択肢が、Ｘ線画像出力装置の種類に応じて決定されることを特徴とするＸ線画像撮影システム。
【請求項１１】
Ｘ線管から照射されたＸ線を所定の検出手段で検出した後、デジタル化された画像データとして出力する複数のＸ線画像出力装置と、前記複数のＸ線画像出力装置を制御する制御装置と、撮影方向の選択肢を表示する表示手段によって構成されるＸ線画像撮影システムであって、
前記表示手段に表示される前記撮影方向の選択肢が、Ｘ線画像出力装置の種類と撮影部位の組合せに応じて決定されることを特徴とするＸ線画像撮影システム。
【請求項１２】
Ｘ線管から照射されたＸ線を所定の検出手段で検出した後、デジタル化された画像データとして出力する複数のＸ線画像出力装置と、この複数のＸ線画像出力装置を制御する制御装置と、前記前記Ｘ線画像出力装置より出力される画像データに対して所定の画像処理を施す画像処理手段と、撮影方向の選択肢を表示する表示手段によって構成されるＸ線画像撮影システムであって、
前記画像処理手段で施される前記所定の画像処理の内容が、撮影部位と撮影方向の組合せ、もしくは、検出手段の種類と撮影部位と撮影方向の組み合わせ、もしくは、Ｘ線画像出力装置の種類と撮影部位と撮影方向の組合せのいずれかに応じて決定されることを特徴とするＸ線画像撮影システム。
【請求項１３】
前記複数のＸ線画像出力装置の内、画像データを出力したＸ線画像出力装置が特定できる情報、もしくは画像データを出力したＸ線画像出力装置の種類が特定できる情報を、画像データと対応付けて記憶することを特徴とする請求項１乃至請求項１２のいずれか１項に記載のＸ線画像撮影システム。
【請求項１４】
前記複数のＸ線画像出力装置の内の少なくとも１つが、固体平面検出器もしくは輝尽性蛍光体を検出手段とする立位型のＸ線画像出力装置であり、前記複数のＸ線画像出力装置の内の少なくとも１つが固体平面検出器もしくは輝尽性蛍光体を検出手段とする臥位型のＸ線画像出力装置であることを特徴とする請求項１乃至請求項１２項に記載のＸ線画像撮影システム。
【請求項１５】
前記検出手段が、可搬型のカセッテに内蔵された輝尽性蛍光体プレートであり、前記複数のＸ線画像出力装置が、前記可搬型のカセッテに内蔵された前記輝尽性蛍光体プレートからＸ線画像情報を読み取る読み取り手段を有するカセッテ対応型のＸ線画像出力装置であることを特徴とする請求項１乃至請求項４項及び請求項７乃至請求項１２項のいずれか１項に記載のＸ線画像撮影システム。
【請求項１６】
前記複数のＸ線画像出力装置の内の少なくとも１つが、固体平面検出器もしくは輝尽性蛍光体を検出手段とする立位型もしくは臥位型のＸ線画像出力装置であり、前記複数のＸ線画像出力装置の内の少なくとも１つが、前記可搬型のカセッテに内蔵された前記輝尽性蛍光体プレートからＸ線画像情報を読み取る読み取り手段を有するカセッテ対応型のＸ線画像出力装置であることを特徴とする請求項１乃至請求項１２項のいずれか１項に記載のＸ線画像撮影システム。
【請求項１７】
Ｘ線管から照射されたＸ線を検出手段で検出した後、デジタル化された画像データとして出力するＸ線画像出力装置と、前記Ｘ線画像出力装置を制御する制御装置と、撮影方向の選択肢を表示する表示手段と、この表示手段に表示された前記撮影方向の選択肢の中から特定の撮影方向を選択または／かつ確定することができる条件入力手段によって構成されるＸ線画像撮影システムであって、
前記表示手段に表示された前記撮影方向の選択肢の中に、複数の撮影方向を一度に選択する選択肢が含まれており、前記複数の撮影方向を一度に選択する選択肢を前記条件入力手段によって選択したのち確定すると、前記選択し確定された選択肢に対応した複数の撮影方向が、前記制御装置に登録されることを特徴とするＸ線画像撮影システム。
【請求項１８】
Ｘ線管から照射されたＸ線を検出手段で検出した後、デジタル化された画像データとして出力するＸ線画像出力装置と、このＸ線画像出力装置を制御する制御装置と、撮影部位や撮影方向の選択肢を表示する表示手段と、この表示手段に表示された前記撮影部位や撮影方向の選択肢の中から特定の撮影部位や撮影方向を選択することができる条件入力手段によって構成されるＸ線画像撮影システムであって、
前記表示手段に表示された前記撮影部位や撮影方向の選択肢の中から、前記条件入力手段を介して複数の撮影部位や撮影方向を選択すると、この選択された複数の撮影部位や撮影方向の内容が、前記表示手段上に順次表示されることを特徴とするＸ線画像撮影システム。
【請求項１９】
前記表示手段上に順次表示された撮影部位や撮影方向の内容を、消去する機能を有することを特徴とする請求項１８項に記載のＸ線画像撮影システム。
【請求項２０】
前記表示手段上に順次表示された前記撮影部位や撮影方向の内容を、修正する機能を有することを特徴とする請求項１８に記載のＸ線画像撮影システム。
【請求項２１】
前記表示手段上に順次表示された前記撮影部位や撮影方向の内容を、確定する機能を有することを特徴とする請求項１８項に記載のＸ線画像撮影システム。
【請求項２２】
Ｘ線管から照射されたＸ線を検出手段で検出した後、デジタル化された画像データとして出力するＸ線画像出力装置と、このＸ線画像出力装置を制御する制御装置と、前記Ｘ線画像出力装置より出力された画像データに対して所定の画像処理を施す画像処理手段よって構成されるＸ線画像撮影システムであって、
前記Ｘ線画像出力装置から出力される画像データの画素値がＸ線強度に略線形な画像データな場合は、前記画像処理手段が、前記画像データに対して対数変換を施した後に、所定の画像処理を施し、前記Ｘ線画像出力装置から出力される画像データの画素値がＸ線強度の対数に略線形な画像データな場合は、前記画像処理手段が、前記画像データに対して対数変換を施さずに、所定の画像処理を施しすことを特徴とするＸ線画像撮影システム。
【請求項２３】
Ｘ線管から照射されたＸ線を検出手段で検出した後、デジタル化された画像データとして出力するＸ線画像出力装置と、前記Ｘ線画像出力装置を制御する制御装置と、前記Ｘ線画像出力装置より出力された画像データに対して所定の画像処理を施す画像処理手段よって構成されるＸ線画像撮影システムであって、
前記検出手段の種類に応じて異なる補正処理を施した後に、前記画像処理手段で所定の画像処理を施すことを特徴とするＸ線画像撮影システム。
【請求項２４】
前記画像処理手段によって施される所定の画像処理の少なくとも１つが階調変換処理であることを特徴とする請求項２２乃至請求項２３項のいずれか１項に記載のＸ線画像撮影システム。
【請求項２５】
前記画像処理手段によって施される所定の画像処理の内容が、検出手段の種類によらず一定であることを特徴とする請求項２２乃至請求項２３項のいずれか１項に記載のＸ線画像撮影システム。
【請求項２６】
前記画像処理手段によって施される所定の画像処理の内容の一部が、検出手段の種類によって異なることを特徴とする請求項２２乃至請求項２３項のいずれか１項に記載のＸ線画像撮影システム。
【請求項２７】
前記画像処理手段によって施される所定の画像処理が、階調変換処理、周波数処理、ダイナミックレンジ圧縮処理の少なくとも１つであることを特徴とする請求項１２項または請求項２５乃至請求項２６項のいずれか１項に記載のＸ線画像撮影システム。
【請求項２８】
前記補正処理の内容が、検出手段が固体平面検出器の場合は、ゲイン補正とオフセット補正の少なくとも１つを含み、検出手段が輝尽性蛍光体の場合は、レーザー走査手段で使用するポリゴンの面倒れ補正、輝尽光を集光する集光手段で発生するムラの補正、輝尽性蛍光体固有の感度ムラの補正、搬送手段で生ずる副走査ムラの補正の少なくとも１つを含むことを特徴とする請求項２３項に記載のＸ線画像撮影システム。
【請求項２９】
前記補正処理の内容が、画像データの解像度の補正、画像データの濃度分解能の補正、画像データの１画素当たりのビット数の補正の少なくとも１つを含むことを特徴とする請求項２３項に記載のＸ線画像撮影システム。
【請求項３０】
前記補正処理の内容が、画像データに対応付けられて記憶されていることを特徴とする請求項２３項、または請求項２８項、または請求項２９に記載のＸ線画像撮影システム。
【請求項３１】
Ｘ線管から照射されたＸ線を検出手段で検出した後、デジタル化された画像データとして出力するＸ線画像出力装置と、このＸ線画像出力装置を制御する制御装置と、前記Ｘ線画像出力装置より出力された画像データに対して所定の画像処理を施す画像処理手段よって構成されるＸ線画像撮影システムであって、
前記検出手段の違いや、前記Ｘ線画像出力装置の動作の違いによって生ずる前記画像データの特性の違いをパラメータとし、前記画像処理手段が前記パラメータに従って、前記所定の画像処理を施すことを特徴とするＸ線画像撮影システム。
【請求項３２】
前記パラメータが、画像データの解像度に関わるパラメータ、画像データの濃度分解能に関わるパラメータ、画像データの１画素当たりのビット数に関わるパラメータの少なくとも１つであることを特徴とする請求項３１項に記載のＸ線画像撮影システム。
【請求項３３】
前記パラメータの内容が、前記画像データに対応付けられて記憶されていることを特徴とする請求項３１項、または請求項３２に記載のＸ線画像撮影システム。
【請求項３４】
前記画像処理手段によって施される所定の画像処理が、階調変換処理、周波数処理、ダイナミックレンジ圧縮処理の少なくとも１つであることを特徴とする請求項３１項に記載のＸ線画像撮影システム。
【請求項３５】
前記検出手段が固体平面検出器もしくは輝尽性蛍光体であることを特徴とする請求項２２項、または請求項２３項、または請求項３１に記載のＸ線画像撮影システム。
【請求項３６】
Ｘ線管から照射されＸ線を検出手段で検出した後、デジタル化された画像データとして出力するＸ線画像出力装置と、前記Ｘ線画像出力装置を制御する制御装置と、前記画像データの映像情報を表示する表示手段によって構成されるＸ線画像撮影システムであって、
前記Ｘ線画像出力装置から最後に出力された画像データを表示する第１の表示画面と、この第１の表示画面に表示された前記画像データに対応する患者氏名、患者ＩＤ番号、撮影部位、撮影方向の少なくとも１つを表示する第２の表示画面と、前記第１の表示画面に表示された前記画像データよりも以前に前記Ｘ線画像出力装置から出力された複数の画像データを縮小表示する第３の表示画面を有することを特徴とするＸ線画像撮影システム。
【請求項３７】
前記第３の表示画面に表示された前記複数の縮小画像データが、
１）Ｘ線撮影システムが撮影の予約登録を受けた時刻かそれに準ずる時刻、
２）Ｘ線が被写体に照射された時刻かそれに準ずる時刻、
３）前記Ｘ線画像出力装置内で画像データが生成された時刻かそれに準ずる時刻、
４）前記制御装置が画像データを受信した時刻かそれに準ずる時刻
の少なくともいずれか１つの時刻に対して時系列に表示されることを特徴とする請求項３６に記載のＸ線画像撮影システム。
【請求項３８】
前記第３の表示画面に表示された前記複数の縮小画像データが、同一患者の画像データであることを特徴とする請求項３６または請求項３７に記載のＸ線画像撮影システム。
【請求項３９】
前記第３の表示画面に表示された前記複数の縮小画像データの内の任意の縮小画像データを選択できる機能を有し、前記任意の縮小画像データを選択できる機能によって、前記複数の縮小画像データの内の任意の縮小画像データを選択すると、この選択された縮小画像データが拡大表示されることを特徴とする請求項３６乃至請求項３８のいずれか１項に記載のＸ線画像撮影システム。
【請求項４０】
前記検出手段が固体平面検出器もしくは輝尽性蛍光体であることを特徴とする請求項２２または請求項３６に記載のＸ線画像撮影システム。
【手続補正２】
【補正対象書類名】明細書
【補正対象項目名】０００２
【補正方法】変更
【補正の内容】
【０００２】
【従来の技術】
近年、病院で発生する患者のＸ線画像情報をデジタル化して保存・電送することにより、診断の効率化・迅速化を図ろうとする気運が高まりつつある。このため、直接撮影の分野においても、これまでのスクリーン／フィルム系に代わり、デジタルデータを出力するＸ線画像撮影装置が多く用いられるようになってきた。
【手続補正３】
【補正対象書類名】明細書
【補正対象項目名】００１６
【補正方法】変更
【補正の内容】
【００１６】
【発明が解決しようとする課題】
このように、非常に多くのタイプのＸ線撮影システムが混在している。しかしながら、それぞれの検出手段を使用した異なるタイプの撮影システムが個別動作する状況で使用されているため、使用者にとって、作業効率が悪く、作業がしづらい環境となっている。
【手続補正４】
【補正対象書類名】明細書
【補正対象項目名】００１９
【補正方法】変更
【補正の内容】
【００１９】
本発明は、かかる実状に鑑みてなされたもので、異なるタイプ、異なる検出手段のＸ線画像撮影システムが混在する中で、使用者にとって、作業効率が良く、作業し易い環境を得ることが可能なＸ線画像撮影システムを提供することを目的とする。
【手続補正５】
【補正対象書類名】明細書
【補正対象項目名】００３０
【補正方法】変更
【補正の内容】
【００３０】
この請求項３に記載の発明によれば、通信ケーブル上に複数のＸ線画像出力装置を順次接続するように構成したので、通信ケーブルのトータルのケーブル長を短くでき、システムコストを低減することができる。また、制御装置側のインターフェイス基板を１枚で構成することができ、システムコストを更に低減することができる。また、１系統のインターフェイスを制御すれば良いため、制御装置の制御プログラムが簡略化し、開発コストと開発負荷を軽減することができる。また、複数のＸ線画像出力装置を１つの制御装置で制御できるので、システムを低コストで容易に構築または拡張することができる。また複数のＸ線画像出力装置に対して制御装置が１台で済むので、制御装置の設置面積を最小限に抑えることができる。
【手続補正６】
【補正対象書類名】明細書
【補正対象項目名】００４３
【補正方法】変更
【補正の内容】
【００４３】
請求項１０に記載の発明は、『Ｘ線管から照射されたＸ線を検出手段で検出した後、デジタル化された画像データとして出力する複数のＸ線画像出力装置と、この複数のＸ線画像出力装置を制御する制御装置と、撮影部位の選択肢を表示する表示手段によって構成されるＸ線画像撮影システムであって、
前記表示手段に表示される前記撮影部位の選択肢が、Ｘ線画像出力装置の種類に応じて決定されることを特徴とするＸ線画像撮影システム。』である。
【手続補正７】
【補正対象書類名】明細書
【補正対象項目名】００４４
【補正方法】変更
【補正の内容】
【００４４】
この請求項１０に記載の発明によれば、Ｘ線画像出力装置の種類に応じて表示する撮影部位の選択肢を決定するので、使用者が撮影部位を選択する際にＸ線画像出力装置の種類を意識することなく、短時間に目的とする撮影部位を選択することができる。また、複数のＸ線画像出力装置を１つの制御装置で制御できるので、システムを低コストで容易に構築または拡張することができる。また複数のＸ線画像出力装置に対して制御装置が１台で済むので、制御装置の設置面積を最小限に抑えることができる。
【手続補正８】
【補正対象書類名】明細書
【補正対象項目名】００４５
【補正方法】変更
【補正の内容】
【００４５】
請求項１１に記載の発明は、『Ｘ線管から照射されたＸ線を所定の検出手段で検出した後、デジタル化された画像データとして出力する複数のＸ線画像出力装置と、前記複数のＸ線画像出力装置を制御する制御装置と、撮影方向の選択肢を表示する表示手段によって構成されるＸ線画像撮影システムであって、
前記表示手段に表示される前記撮影方向の選択肢が、Ｘ線画像出力装置の種類と撮影部位の組合せに応じて決定されることを特徴とするＸ線画像撮影システム。』である。
【手続補正９】
【補正対象書類名】明細書
【補正対象項目名】００４６
【補正方法】変更
【補正の内容】
【００４６】
この請求項１１に記載の発明によれば、Ｘ線画像出力装置の種類と撮影部位の組合せに応じて表示する撮影方向の選択肢を決定するので、使用者が撮影方向を選択する際にＸ線画像出力装置の種類と撮影部位の組合せを意識することなく、短時間に目的とする撮影方向を選択することができる。また、複数のＸ線画像出力装置を１つの制御装置で制御できるので、システムを低コストで容易に構築または拡張することができる。また複数のＸ線画像出力装置に対して制御装置が１台で済むので、制御装置の設置面積を最小限に抑えることができる。
【手続補正１０】
【補正対象書類名】明細書
【補正対象項目名】００４７
【補正方法】変更
【補正の内容】
【００４７】
請求項１２に記載の発明は、『Ｘ線管から照射されたＸ線を所定の検出手段で検出した後、デジタル化された画像データとして出力する複数のＸ線画像出力装置と、この複数のＸ線画像出力装置を制御する制御装置と、前記前記Ｘ線画像出力装置より出力される画像データに対して所定の画像処理を施す画像処理手段と、撮影方向の選択肢を表示する表示手段によって構成されるＸ線画像撮影システムであって、
前記画像処理手段で施される前記所定の画像処理の内容が、撮影部位と撮影方向の組合せ、もしくは、検出手段の種類と撮影部位と撮影方向の組み合わせ、もしくは、Ｘ線画像出力装置の種類と撮影部位と撮影方向の組合せのいずれかに応じて決定されることを特徴とするＸ線画像撮影システム。』である。
【手続補正１１】
【補正対象書類名】明細書
【補正対象項目名】００５７
【補正方法】変更
【補正の内容】
【００５７】
請求項１７に記載の発明は、『Ｘ線管から照射されたＸ線を検出手段で検出した後、デジタル化された画像データとして出力するＸ線画像出力装置と、前記Ｘ線画像出力装置を制御する制御装置と、撮影方向の選択肢を表示する表示手段と、この表示手段に表示された前記撮影方向の選択肢の中から特定の撮影方向を選択または／かつ確定することができる条件入力手段によって構成されるＸ線画像撮影システムであって、  
前記表示手段に表示された前記撮影方向の選択肢の中に、複数の撮影方向を一度に選択する選択枝が含まれており、前記複数の撮影方向を一度に選択する選択肢を前記条件入力手段によって選択したのち確定すると、前記選択し確定された選択肢に対応した複数の撮影方向が、前記制御装置に登録されることを特徴とするＸ線画像撮影システム。』である。
【手続補正１２】
【補正対象書類名】明細書
【補正対象項目名】００５８
【補正方法】変更
【補正の内容】
【００５８】
この請求項１７に記載の発明によれば、撮影方向を選択する選択肢の中に、一度に複数の撮影方向を選択できる選択肢を設けたので、複数の撮影方向を個別に選択する手間を省くことができ、短時間に撮影方向の選択を終了することができる。
【手続補正１３】
【補正対象書類名】明細書
【補正対象項目名】００５９
【補正方法】変更
【補正の内容】
【００５９】
請求項１８に記載の発明は、『Ｘ線管から照射されたＸ線を検出手段で検出した後、デジタル化された画像データとして出力するＸ線画像出力装置と、このＸ線画像出力装置を制御する制御装置と、撮影部位や撮影方向の選択肢を表示する表示手段と、この表示手段に表示された前記撮影部位や撮影方向の選択肢の中から特定の撮影部位や撮影方向を選択することができる条件入力手段によって構成されるＸ線画像撮影システムであって、
前記表示手段に表示された前記撮影部位や撮影方向の選択肢の中から、前記条件入力手段を介して複数の撮影部位や撮影方向を選択すると、この選択された複数の撮影部位や撮影方向の内容が、前記表示手段上に順次表示されることを特徴とするＸ線画像撮影システム。』である。
【手続補正１４】
【補正対象書類名】明細書
【補正対象項目名】００９４
【補正方法】変更
【補正の内容】
【００９４】
この請求項３５に記載の発明によれば、固体平面検出器もしくは輝尽性蛍光体の検出手段に対応したので、固体平面検出器を使用したＸ線画像出力装置や、輝尽性蛍光体を使用したＸ線画像出力装置に対して、安定した画質を提供することができる。
請求項３６に記載の発明は、『Ｘ線管から照射されＸ線を検出手段で検出した後、デジタル化された画像データとして出力するＸ線画像出力装置と、前記Ｘ線画像出力装置を制御する制御装置と、前記画像データの映像情報を表示する表示手段によって構成されるＸ線画像撮影システムであって、
前記Ｘ線画像出力装置から最後に出力された画像データを表示する第１の表示画面と、この第１の表示画面に表示された前記画像データに対応する患者氏名、患者ＩＤ番号、撮影部位、撮影方向の少なくとも１つを表示する第２の表示画面と、前記第１の表示画面に表示された前記画像データよりも以前に前記Ｘ線画像出力装置から出力された複数の画像データを縮小表示する第３の表示画面を有することを特徴とするＸ線画像撮影システム。』である。
【手続補正１５】
【補正対象書類名】明細書
【補正対象項目名】０１４９
【補正方法】変更
【補正の内容】
【０１４９】
本発明では、これまで説明した様々な補正処理の内容、画像処理の種類、画像処理パラメータなどを、画像データ付属情報として画像データに対応付けて記憶手段２３８に記憶するため、使用者が画像データに施された補正処理や画像処理の内容を後から確認することができる。
【手続補正１６】
【補正対象書類名】明細書
【補正対象項目名】０１５７
【補正方法】変更
【補正の内容】
【０１５７】
このため、Ｘ線画像出力装置１ａ、１ｂ、１ｃが、通信ケーブル１０上に順次接続されるように構成することで、通信ケーブルのトータルのケーブル長を短くでき、装置コストを低減することができる。また、制御装置２側の通信手段２３１を構成するインターフェイス基板を１枚で構成することができ、装置コストを更に低減することができる。また、１系統のインターフェイスを制御すれば良いため、制御手段２３６の通信制御プログラムが簡略化し、開発コストと開発負荷を軽減することができる。Ｘ線画像出力装置１ａ、１ｂ、１ｃは、通信ケーブル１０を介して、１つの制御装置２によって制御される。制御装置２は、３つのＸ線画像出力装置１ａ、１ｂ、１ｃを、例えばＩＤ番号等によって管理している。
【手続補正１７】
【補正対象書類名】明細書
【補正対象項目名】０１９７
【補正方法】変更
【補正の内容】
【０１９７】
また、図７には図示していないが、図５、図６と同様に、制御装置２とＸ線発生制御装置３との間に通信ケーブル３０を配し、制御装置２とＸ線発生制御装置３が通信できるようにしておいても良い。こうしておけば、制御装置２が、Ｘ線発生制御装置３から、Ｘ線照射時間、Ｘ線管を流れる電流値、Ｘ線管の管電圧などのＸ線撮影条件を取得することができ、制御装置２内の記憶手段２３８に、取得したＸ線撮影条件を画像データ付属情報の一部として画像データと対応付けて記憶しておくことができる。
【手続補正１８】
【補正対象書類名】明細書
【補正対象項目名】０２１９
【補正方法】変更
【補正の内容】
【０２１９】
本例では、図６の専用タイプＸ線画像撮影システムと図７のカセッテ対応タイプＸ線画像撮影システムの制御装置２を共通化させて１台で制御するように構成した例であるが、本発明は、本例の組合せ方だけに限定するものではない。例えば図５で示した専用タイプのＸ線画像撮影システムと、図８で示したカセッテ対応タイプのＸ線画像撮影システムの組み合わせでも良いし、その他の組み合わせでも良い。
【手続補正１９】
【補正対象書類名】明細書
【補正対象項目名】０２４４
【補正方法】変更
【補正の内容】
【０２４４】
使用者が画面Ａで立位型のアイコンを選択すると、画面Ｆには、上記「胸部」「腹部」「腰椎」「上肢」、「下肢」の５項目が、画面Ａで臥位型のアイコンを選択すると、画面Ｆには、「頭部」、「胸部」、「腹部」、「脊椎」、「骨盤」、「上肢」、「下肢」、「軟部他」の８項目が、画面Ａでカセッテ対応型のアイコンを選択すると、画面Ｆには、「頭部」、「胸部」、「腹部」、「脊椎」、「骨盤」、「上肢」、「下肢」、「軟部他」、「新生児」の９項目が、画面Ｆの（ｆ１）〜（ｆ９）の内の何れかに選択肢として表示される。
【手続補正２０】
【補正対象書類名】明細書
【補正対象項目名】０２４６
【補正方法】変更
【補正の内容】
【０２４６】
Ｘ線画像撮影装置と大分類が決定すると、画面Ｇの（ｇ１）〜（ｇ４）には、決定されたＸ線画像撮影装置と大分類に対応した撮影部位の小分類が選択肢として表示される。撮影部位の小分類とは、大分類で示された部位をさらに細かな部位に分類したもので、例えば大分類が「上肢」の場合は、「肩関節」、「肩甲骨」、「肩鎖間接」、「上腕骨」、「肘関節」、「前腕骨」、「手関節」、「手根骨」、「手指骨」などが小分類に当たる。画面Ｈの（ｈ１１）〜（ｈ１４）には、小分類（ｇ１）に対応した撮影方向が、（ｈ２１）〜（ｈ２４）には、小分類（ｇ２）に対応した撮影方向が、（ｈ３１）〜（ｈ３４）には、小分類（ｇ３）に対応した撮影方向が、（ｈ４１）〜（ｈ４４）には、小分類（ｇ４）に対応した撮影方向が選択肢として表示される。
【手続補正２１】
【補正対象書類名】明細書
【補正対象項目名】０２４８
【補正方法】変更
【補正の内容】
【０２４８】
本発明では、小分類と撮影方向が、Ｘ線画像撮影装置と大分類の組合せに毎に登録されている。選択されたＸ線画像撮影装置と大分類の組合せに対して、予め登録されている小分類と撮影方向が選択肢として表示され、余分な小分類と撮影方向（選択されたＸ線画像撮影装置と大分類の組合せでは使用しない小分類と撮影方向）が選択肢として表示されないように制御されているため、使用者が小分類や撮影方向を選択する際に、混乱することなく、短時間に目的とする小分類と撮影方向を選択することができるようになっている。
【手続補正２２】
【補正対象書類名】明細書
【補正対象項目名】０２４９
【補正方法】変更
【補正の内容】
【０２４９】
画面Ｉの（ｉ１）〜（ｉ４）には、小分類（ｇ１）〜（ｇ４）に対応したセット撮影メニューが選択肢として表示されている。セット撮影とは、よく使われる幾つかの撮影方向をセットにしたもので、２方向撮影のセットや３方向撮影のセットなどがある。例えば、後前方向撮影と、前後方向撮影と測方向撮影の３方向の撮影が登録されているセット撮影メニューが選択されると、後前方向撮影と、前後方向撮影と測方向撮影の３つの撮影方向が一度に選択される。このため、使用者は、３つの撮影方向を個別に選択する手間を省くことができる。
【手続補正２３】
【補正対象書類名】図面
【補正対象項目名】図３
【補正方法】変更
【補正の内容】
【図３】
2001149358.tif 000001
【手続補正２４】
【補正対象書類名】図面
【補正対象項目名】図８
【補正方法】変更
【補正の内容】
【図８】
2001149358.tif 000002
【手続補正２５】
【補正対象書類名】図面
【補正対象項目名】図１０
【補正方法】変更
【補正の内容】
【図１０】
2001149358.tif 000003
【手続補正２６】
【補正対象書類名】図面
【補正対象項目名】図１２
【補正方法】変更
【補正の内容】
【図１２】
2001149358.tif 000004